(57)【特許請求の範囲】
【請求項１】
対物レンズと、前記対物レンズを保持するレンズホルダーと、前記レンズホルダーに固着したマグネットと、前記レンズホルダーを片持ちするワイヤーを支持すると共に前記レンズホルダーを内部に収納するフレームと、
前記マグネットに対向して配置した磁性材であるヨークと、前記ヨークに巻装できるように構成し前記フレームに固定されるボビンと、前記ボビンに巻装すると共にその両端に電気的結合したコイル端末部を具備したコイルと、
前記コイル端末部と電気的接続することによって前記コイル外部からの電気信号を伝達するフレキシブル基板と、
前記フレームを固定するベースとを備え、
前記ボビンと一体化した前記フレキシブル基板を前記フレームと前記ベースとの間に配置した構成を有することを特徴とする対物レンズ駆動装置。
【発明の詳細な説明】
【０００１】
【発明の属する技術分野】
本発明は、ディスクにレーザー光を投影してディスクに信号の記録再生を行う光学式ディスク再生装置に用いる対物レンズ駆動装置に関するものである。
【０００２】
【従来の技術】
近年、ＣＤの他にもＭＤ、ＤＶＤ等ディスクにレーザー光を当てることによって、ディスクに記録された信号を読みとる光ディスクが世の中に多く普及してきている。この光ディスクにおいて、レーザー光のスポットをディスクの記録箇所に的確に運ぶための対物レンズ駆動装置として、対物レンズを含む可動部にコイルを巻装したムービングコイル方式（ＭＣ方式）と可動部にマグネットを配したムービングマグネット方式（ＭＭ方式）がよく見受けられる。ＭＭ方式は、可動部にマグネットを、固定側にヨークおよびコイルを配している為、可動部の剛性が上げれることによりディスクの高回転化に対応した広帯域の制御が可能で、また対物レンズの周辺にコイルが無く、コイルの熱によるレンズの歪みが発生しないという長所を有する。
【０００３】
図５は従来の対物レンズ駆動装置を示す分解斜視図である。図５において、５１は対物レンズ、５２は対物レンズ５１を保持するレンズホルダー、５３ａ、５３ｂ、５３ｃ、５３ｄは、レンズホルダーを保持するワイヤー、５４はワイヤーの他端を支持するフレーム、５５ａ、５５ｂはレンズホルダー５２に固着したマグネットである。マグネット５５の極性方向は６１の向きである。ヨーク５６ａ，５６ｂに巻装できるようにしたボビン５７ａ，５７ｂにはフォーカスコイル５８ａ，５８ｂとトラッキングコイル５９ａ，５９ｂが巻かれている。ボビン５７ａには溝が施されており、ここにフォーカスコイル５８ａ、トラッキングコイル５９ａの端末を巻き付け、半田付けなどのより固定されている。こうして、フォーカスコイルの端末部６３ａ，６３ｂとトラッキングコイルの端末部６４ａ，６４ｂは構成される。ボビン５７ｂに巻き付けられたフォーカスコイル５８ｂ、トラッキングコイル５９ｂにも同様に端末部に固定処理がされている。この巻装されたボビン５７ａ，５７ｂに設けられた位置決め部（孔）６８ａ，６８ｂ，６８ｃ，６８ｄにそれぞれフレーム５４に設けられた位置決め部（ボス）６７ａ，６７ｂ，６７ｃ，６７ｄを挿入して位置決めし、ボビンの位置決め部６７ａ，６７ｂ，６７ｃ，６７ｄを溶着することによってボビン５７ａ，５７ｂはフレーム５４に固定される。次にフレキシブル基板６０の位置決め部（孔）７０ａ，７０ｂをフレーム５４の位置決め部（ボス）６７ｅ，６７ｆに挿入することによって、フレキシブル基板６０をフレーム５４に固定する。こうして、フレーム５４、ボビン５７ａ，５７ｂ、フレキシブル基板６０が一体化される。次に、フォーカスコイルの端末部５７ａ〜５７ｄ、トラッキングコイルの端末部５８ａ〜５８ｄをフレキシブル基板の電気的接続部６９ａ〜６９ｈのそれぞれ対応する部分に半田付けすることによって、フレキシブル基板６０とフォーカスコイル５８、トラッキングコイル５９との電気的接続がなされる。６２は一体化されたフレーム５４を固定し、対物レンズ駆動装置全体の傾き調整を可能とするベースである。
【０００４】
動作原理は、マグネット５５は、極性方向が６１の向きに着磁がなされており、対向したヨーク５６と磁気回路を構成する。フォーカスコイル５８と、トラッキングコイル５９は、極性方向６１対し直角方向に巻装されているので、通電することにより磁界を発生し、その反作用がマグネット５５に加わり、対物レンズ５１を含むレンズホルダー５２が２軸方向（フォーカス、トラッキング方向）に駆動する。
【０００５】
【発明が解決しようとする課題】
しかしながら上記のような対物レンズ駆動装置は、ボビン５７、フレキシブル基板６０を別々にフレーム５５に固定し、また、フレキシブル基板６０の電気的接続部６９とフォーカスコイル５８、トラッキングコイル５９の端末部６３，６４の半田付けによる電気的接続はフレーム５５に固定された状態で行わなければならないので、生産性が悪かった。
【０００６】
本発明は、上記従来の問題点に鑑み、対物レンズ駆動装置の小型化を阻害せず、且つ生産性を改善した対物レンズ駆動装置を提供することを目的としてなされたものである。
【０００７】
【課題を解決するための手段】
この課題を解決するために本発明の対物レンズ駆動装置は、対物レンズと、前記対物レンズを保持するレンズホルダーと、前記レンズホルダーに固着したマグネットと、前記レンズホルダーを片持ちするワイヤーを支持すると共に前記レンズホルダーを内部に収納するフレームと、前記マグネットに対向して配置した磁性材であるヨークと、前記ヨークに巻装できるように構成し前記フレームに固定されるボビンと、前記ボビンに巻装すると共にその両端に電気的結合したコイル端末部を具備したコイルと、前記コイル端末部と電気的接続することによって前記コイル外部からの電気信号を伝達するフレキシブル基板と、前記フレームを固定するベースとを備え、前記ボビンと一体化した前記フレキシブル基板を前記フレームと前記ベースとの間に配置した構成を有するものであり、容易に小型化ができ、且つ生産性を改善した対物レンズ駆動装置を提供することができる。
【０００８】
【発明の実施の形態】
本発明の対物レンズ駆動装置は、対物レンズと、この対物レンズを保持するレンズホルダーと、このレンズホルダーに固着したマグネットと、このレンズホルダーを片持ちするワイヤーを支持すると共にレンズホルダーを内部に収納するフレームと、このマグネットに対向して配置した磁性材であるヨークと、このヨークに巻装できるように構成しこのフレームに固定されるボビンと、このボビンに巻装すると共にその両端に電気的結合したコイル端末部を具備したコイルと、前記コイル端末部と電気的接続することによって前記コイル外部からの電気信号を伝達するフレキシブル基板と、前記フレームを固定するベースとを備え、前記ボビンと一体化した前記フレキシブル基板を前記フレームと前記ベースとの間に配置した構成を有するものであり、対物レンズ駆動装置内にコイル端末部とフレキシブル基板の電気的接続のためのスペースを設ける必要がなくなり、外部の広いスペースで安定した電気的接続が行うことができるという作用を有する。
【０００９】
以下、本発明の実施の形態について、図１から図４を用いて説明する。
【００１０】
図１は本発明の実施の形態における対物レンズ駆動装置の分解斜視図を示すものである。
【００１１】
図１において、１は対物レンズ、２は対物レンズ１を保持するレンズホルダー、３ａ、３ｂ、３ｃ、３ｄは、レンズホルダー２を保持するワイヤー、４はワイヤーの他端を支持するフレーム、５ａ、５ｂはレンズホルダー２に固着したマグネットである。マグネット５の極性方向は１１の向きである。ヨーク６ａ，６ｂに巻装できるようにしたボビン７ａ，７ｂにはフォーカスコイル８ａ，８ｂとトラッキングコイル９ａ，９ｂが巻かれている。
【００１２】
次にフォーカスコイル８ａ，８ｂ，トラッキングコイル９ａ，９ｂとフレキシブル基板１０との電気的接続方法、ボビン７ａ，７ｂとフレキシブル基板１０の固着方法について、図２、図３を用いて説明する。
【００１３】
図２はボビン７ａ，７ｂとフレキシブル基板１０の固着前の下方からの斜視図を示すものである。ボビン７ａ，７ｂにはそれぞれピン２０ａａ，２０ａｂ，２０ａｃ，２０ａｄと２０ｂａ，２０ｂｂ，２０ｂｃ，２０ｂｄが設けられている。ボビン７ａ，７ｂに巻き付けられたフォーカスコイル８ａ，８ｂ，トラッキングコイル９ａ，９ｂの端末はこのピンに巻き付けられ、半田などによって固定される。こうして、フォーカスコイルの端末部１３ａ，１３ｂ，１３ｃ，１３ｄとトラッキングコイルの端末部１４ａ，１４ｂ，１４ｃ，１４ｄが構成される。こうして、フォーカスコイル８ａ，８ｂ，トラッキングコイル９ａ，９ｂはボビン７ａ，７ｂに固定される。このボビン７ａ，７ｂは凸部１５ａ，１５ｂ，１５ｃ，１５ｄをフレキシブル基板１０に設けられた孔部１６ａ，１６ｂ，１６ｃ，１６ｄに挿入することによってフレキシブル基板１０を位置決めし、この凸部１５ａ，１５ｂ，１５ｃ，１５ｄを溶着することによって、固着され、一体化する。
【００１４】
図３はフレキシブル基板１０とボビン７ａ，７ｂが一体化した後の斜視図を示したものである。一体化後、フォーカスコイルの端末部６３ａ，６３ｂ，６３ｃ，６３ｄとトラッキングコイルの端末部６４ａ，６４ｂ，６４ｃ，６４ｄはフレキシブル基板の電気的接続部１９ａ〜１９ｈの対応した部分と重なり合っている。この対応したフォーカスコイルとトラッキングコイルの各端末部とフレキシブル基板１０の電気的接続部を半田付けすることによって、フレキシブル基板１０とフォーカスコイル８ａ，８ｂ、トラッキングコイル９ａ，９ｂの電気的接続がなされる。
【００１５】
図４はフレキシブル基板１０を複数枚（図では８枚）含むシート２１上にボビン７ａ，７ｂを配置する場合の斜視図を示したものである。シート２１上のフレキシブル基板１０ａには、コイルの巻装、端末処理後のボビン７ａａ，７ａｂが配置され、図２，図３で説明したように固着、電気的接続がなされる。このフレキシブル基板１０ａはシート２１との接続部であるつなぎ部２２ａ，２２ｂ，２２ｃを切断することにより、シート２１から切り離され、以下で説明するような、各対物レンズ駆動装置の部品として用いられる。
【００１６】
次に図１において、これまでに説明したようにしてフレキシブル基板１０と一体化したボビン７ａ，７ｂは位置決め部（孔）１８ａ，１８ｂ，１８ｃ，１８ｄをフレームの位置決め部（ボス）１７ａ，１７ｂ，１７ｃ，１７ｄに挿入して位置決めし、位置決め部（ボス）１７ａ，１７ｂ，１７ｃ，１７ｄを溶着することによってボビン７ａ，７ｂとフレキシブル基板１０はフレーム４に固定される。こうして、フレーム４、ボビン７ａ，７ｂ、フレキシブル基板１０は一体化される。１２は一体化されたフレーム４を固定し、対物レンズ駆動装置全体の傾き調整を可能とするベースである。
【００１７】
なお、本実施の形態の対物レンズ駆動装置における動作原理は、従来の技術に記載したものと同様である。
【００１８】
【発明の効果】
以上のように本発明によれば、コイルの端末部とフレキシブル基板の半田付けなどによる電気的接続を固定部側であるフレームに組み込む前に行うので、一度に大量の電気的接続を行うことも可能となり、工数を削減することができる。また、フレキシブル基板の電気的接続部側にボビンを配置することにより、フレキシブル基板へのボビンの供給と電気的接続が同じ方向からでき、フレキシブル基板を複数枚含むシート上で連続してボビンと接続しやすくなり、１台当りの工数を大幅に削減することが可能となる。また、対物レンズ駆動装置に電気的接続を行うための作業用スペースを設ける必要がなく、小型化が容易な対物レンズ駆動装置を提供することができる。
【図面の簡単な説明】
【図１】  本発明の実施の形態１による対物レンズ駆動装置の分解斜視図
【図２】  本発明の実施の形態１によるフレキシブル基板とボビンを下方から見た斜視図
【図３】  本発明の実施の形態１による一体化後のフレキシブル基板とボビンの斜視図
【図４】  本発明の実施の形態１によるシート状に配置したフレキシブル基板とそれに対応して配置したボビンの斜視図
【図５】  従来の対物レンズ駆動装置の分解斜視図
【符号の説明】
１  対物レンズ
２  レンズホルダー
４  フレーム
５  マグネット
６  ヨーク
７  ボビン
８  フォーカスコイル
９  トラッキングコイル
１０  フレキシブル基板
１３  フォーカスコイルの端末部
１４  トラッキングコイルの端末部
１５  凸部
１６  孔部
【図１】
0004061750.tif 000002
【図２】
0004061750.tif 000003
【図３】
0004061750.tif 000004
【図４】
0004061750.tif 000005
【図５】
0004061750.tif 000006